(57)【要約】  アクセス制御方法、装置及び通信システムが提供される。前記アクセス制御方法は、アクセスアテンプトとアクセスクラスとのマッピング関係に基づいて、アクセスアテンプトに対応するアクセスクラスを確定し；前記アクセスクラスに基づいてアクセス規制チェックを行い前記アクセスクラスに対応するアクセスが規制されるかを確定し；及び前記アクセスが許可されると確定した場合、ネットワーク装置に接続確立リクエストメッセージ又は接続回復リクエストメッセージを送信することを含む。これにより、異なるシナリにおいてもアクセスクラスを確定することができ、簡単で且つ効率が良い方式で統一アクセス制御メカニズムを実現することができる。
2020536410.tif 000002
【特許請求の範囲】
【請求項１】
アクセス制御装置であって、
アクセスクラス確定ユニットであって、アクセスアテンプトとアクセスクラスとのマッピング関係に基づいて、アクセスアテンプトに対応するアクセスクラスを確定するもの；
アクセス規制チェックユニットであって、前記アクセスクラスに基づいてアクセス規制チェックを行い、前記アクセスクラスに対応するアクセスが規制されるかを確定するもの；及び
リクエスト送信ユニットであって、前記アクセスが許可されると確定した場合、ネットワーク装置に接続確立リクエストメッセージ又は接続回復リクエストメッセージを送信するものを含む、アクセス制御装置。
【請求項２】
請求項1に記載のアクセス制御装置であって、さらに、
原因値確定ユニットであって、アクセスアテンプトと確立原因値とのマッピング関係又はアクセスクラスと確立原因値とのマッピング関係に基づいて、前記アクセスアテンプトに対応する確立原因値を確定するものを含む、アクセス制御装置。
【請求項３】
請求項1に記載のアクセス制御装置であって、
前記リクエスト送信ユニットは、ネットワーク装置の指示又はネットワーク装置設定の条件に基づいて、前記アクセスクラスを前記接続確立リクエストメッセージ又は接続回復リクエストメッセージに含め、又は、前記確立原因値を前記接続確立リクエストメッセージ又は接続回復リクエストメッセージに含める、アクセス制御装置。
【請求項４】
請求項1に記載のアクセス制御装置であって、
非アクセス層において前記アクセスクラス及び／又は確立原因値を確定し、
前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記非アクセス層において定義され、又は、ネットワーク装置により非アクセス層のシグナリングを用いてユーザ装置に通知される、アクセス制御装置。
【請求項５】
請求項4に記載のアクセス制御装置であって、
前記非アクセス層が、確定された前記アクセスクラス及び／又は前記確立原因値指示を無線リソース制御層に送信し、前記無線リソース制御層は、前記アクセス規制チェックを行う、アクセス制御装置。
【請求項６】
請求項1に記載のアクセス制御装置であって、
無線リソース制御層において前記アクセスクラス及び／又は確立原因値を確定し、
前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記無線リソース制御層において定義され、又は、ネットワーク装置により無線リソース制御層のシグナリングを用いてユーザ装置に通知される、アクセス制御装置。
【請求項７】
請求項6に記載のアクセス制御装置であって、
非アクセス層が、前記無線リソース制御層に前記アクセスクラスを確定するためのパラメータを提供し、前記無線リソース制御層は、前記アクセス規制チェックを行う、アクセス制御装置。
【請求項８】
請求項1に記載のアクセス制御装置であって、
少なくとも２つの層において前記アクセスクラス及び／又は確立原因値を確定し、
前記アクセスクラス及び／又は確立原因値を確定する層は、前記アクセスアテンプトを開始する層、及び／又は、無線リソース制御状態に基づいて決定される層を含み、
前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記アクセスクラス及び／又は確立原因値を確定する層において定義される、アクセス制御装置。
【請求項９】
請求項8に記載のアクセス制御装置であって、
前記アクセスアテンプトを開始する層は、アプリケーション層、IP層、NAS層、RRC層、及びユーザプレーンのうちの１つ又は複数の層、及び／又は、１つ又は複数の実体を含み、
前記無線リソース制御状態に基づいて決定される層は、ユーザ装置がアイドル状態にあるときのNAS層、ユーザ装置がインアクティブ状態にあるときのRRC層、及びユーザ装置が接続状態にあるときのユーザプレーンのうちの１つ又は複数層、及び／又は、１つ又は複数実体を含む、アクセス制御装置。
【請求項１０】
請求項8に記載のアクセス制御装置であって、
前記少なくとも２つの層において少なくとも２つの異なるアクセスクラスを確定した場合、非アクセス層又は無線リソース制御層により前記少なくとも２つの異なるアクセスクラスのうちから１つのアクセスクラスを選択する、アクセス制御装置。
【請求項１１】
請求項1に記載のアクセス制御装置であって、さらに、
タイマー処理ユニットであって、アクセス制御を行うための１つ又は複数タイマーを処理するものを含み、
各タイマーが、１つ又は一組又はすべてのアクセスクラスに対応する、アクセス制御装置。
【請求項１２】
請求項11に記載のアクセス制御装置であって、
前記タイマーは、無線リソース制御層又は非アクセス層により設定され、及び／又は、前記タイマーは、無線リソース制御層又は非アクセス層により維持される、アクセス制御装置。
【請求項１３】
請求項11に記載のアクセス制御装置であって、
前記タイマーがユーザ装置専用の規制タイマーを含み、
前記アクセス制御装置は、さらに、
タイマー起動ユニットであって、前記アクセスクラスに前記ユーザ装置専用の規制タイマーが定義又は設定され、且つ前記アクセスクラスに基づいて前記アクセス規制チェックを行った結果が「前記アクセスクラスに対応するアクセスが規制される」の場合、前記ユーザ装置専用の規制タイマーを起動するものを含み、
前記アクセス規制チェックユニットは、さらに、前記ユーザ装置専用の規制タイマーがランニングしている場合、前記ユーザ装置のすべての又は規定の又は設定のアクセスクラスに対して前記アクセス規制チェックを行わず、前記アクセスクラスに対応するアクセスアテンプト又はアクセス被規制を確定する、アクセス制御装置。
【請求項１４】
請求項11に記載のアクセス制御装置であって、
前記タイマーがユーザ装置専用の許可タイマーを含み、
前記アクセス制御装置は、さらに、
タイマー起動ユニットであって、前記アクセスクラスに前記ユーザ装置専用の許可タイマーが定義又は設定され、且つ前記アクセスクラスに基づいて前記アクセス規制チェックを行った結果が「前記アクセスクラスに対応するアクセスが許可される」の場合、前記ユーザ装置専用の許可タイマーを起動するものを含み、
前記アクセス規制チェックユニットは、さらに、前記ユーザ装置専用の許可タイマーがランニングしている場合、前記ユーザ装置のすべての又は規定の又は設定のアクセスクラスに対して前記アクセス規制チェックを行わず、前記アクセスクラスに対応するアクセスアテンプト又はアクセスが許可されると確定する、アクセス制御装置。
【請求項１５】
請求項11に記載のアクセス制御装置であって、
前記タイマーがアクセスクラス専用の規制タイマー又はアクセスクラス組専用の規制タイマーを含み、
前記アクセス制御装置は、さらに、
タイマー起動ユニットであって、前記アクセスクラスに前記アクセスクラス専用の規制タイマー又はアクセスクラス組専用の規制タイマーが定義又は設定され、且つ前記アクセスクラスに基づいて前記アクセス規制チェックを行った結果が「前記アクセスクラスに対応するアクセスが規制される」の場合、前記アクセスクラス専用の規制タイマー又は前記アクセスクラス組専用の規制タイマーを起動するものを含み、
前記アクセス規制チェックユニットは、さらに、前記アクセスクラス専用の規制タイマー又は前記アクセスクラス組専用の規制タイマーがランニングしている場合、前記アクセスクラス又は前記アクセスクラス組に対して前記アクセス規制チェックを行わず、前記アクセスクラス又は前記アクセスクラス組に対応するアクセスアテンプト又はアクセスが規制されると確定する、アクセス制御装置。
【請求項１６】
請求項11に記載のアクセス制御装置であって、
前記タイマーがアクセスクラス専用の許可タイマー又はアクセスクラス組専用の許可タイマーを含み、
前記アクセス制御装置は、さらに、
タイマー起動ユニットであって、前記アクセスクラスに前記アクセスクラス専用の許可タイマー又はアクセスクラス組専用の許可タイマーが定義又は設定され、且つ前記アクセスクラスに基づいて前記アクセス規制チェックを行った結果が「前記アクセスクラスに対応するアクセスが許可される」の場合、前記アクセスクラス専用の許可タイマー又は前記アクセスクラス組専用の許可タイマーを起動するものを含み、
前記アクセス規制チェックユニットは、さらに、前記アクセスクラス専用の許可タイマー又は前記アクセスクラス組専用の許可タイマーがランニングしている場合、前記アクセスクラス又は前記アクセスクラス組に対して前記アクセス規制チェックを行わず、前記アクセスクラス又は前記アクセスクラス組に対応するアクセスアテンプト又はアクセスが許可されると確定する、アクセス制御装置。
【請求項１７】
アクセス制御装置であって、
設定送信ユニットであって、ユーザ装置にアクセスアテンプトとアクセスクラスとのマッピング関係を設定するための設定情報を送信し、前記ユーザ装置に、前記アクセスアテンプトとアクセスクラスとのマッピング関係に基づいて、アクセスアテンプトに対応するアクセスクラスを確定させるもの；
リクエスト受信ユニットであって、前記装置により送信される接続確立リクエストメッセージ又は接続回復リクエストメッセージを受信するもの；及び
接続確定ユニットであって、前記ユーザ装置の接続確立リクエスト又は接続回復リクエストを許可するかを確定するものを含む、アクセス制御装置。
【請求項１８】
請求項17に記載のアクセス制御装置であって、
前記設定送信ユニットは、さらに、前記ユーザ装置に、アクセスアテンプトと確立原因値とのマッピング関係又はアクセスクラスと確立原因値とのマッピング関係を設定するための設定情報を送信し、前記ユーザ装置に、前記アクセスアテンプトと確立原因値とのマッピング関係又は前記アクセスクラスと確立原因値とのマッピング関係に基づいて前記アクセスアテンプトに対応する確立原因値を確定させる、アクセス制御装置。
【請求項１９】
請求項17に記載のアクセス制御装置であって、
前記設定送信ユニットは、さらに、前記ユーザ装置に、アクセス制御を行うための１つ又は複数のタイマーを設定するための設定情報を送信し、各タイマーが１つ又は一組又はすべてのアクセスクラスに対応する、アクセス制御装置。
【請求項２０】
通信システムであって、
請求項1に記載のアクセス制御装置を含むユーザ装置；及び
請求項17に記載のアクセス制御装置を含むネットワーク装置を含む、通信システム。
【発明の詳細な説明】
【技術分野】
【０００１】
本発明は、通信技術分野に関し、特に、アクセス制御方法、装置及び通信システムに関する。
【背景技術】
【０００２】
LTE（Long  Term  Evolution）システムでは、例えば、次のようなアクセス制御技術が存在する。
【０００３】
アクセスクラス規制（ACB、Access  Class  Barring）：アクセスアテンプト（access  attemp）の類型（例えば、端末が開始するデータ又は端末が開始するシグナリング）及びユーザ装置（UE、User  Equipment）の属するアクセスクラス（アクセスカテゴリとも言う）（AC、Access  Class）に基づくアクセス規制メカニズムであり；
アクセス制御規制-スキップ（ACB-skip、Access  Control  Barring-skip）：マルチメディア電話（MMTEL、Multi-Media  Telephony）音声／ビデオ及びショートメッセージサービス（SMS、Short  Message  Service）の高優先度を許すものであり；
サービス専用アクセス制御（SSAC、Service  Specific  Access  Control）：MMTEL音声／ビデオが開始するセッションのアクセス規制メカニズムであり；
拡張アクセス規制（EAB、Extended  Access  Barring）：例えば、マシンタイプ通信（MTC、Machine  Type  Communications）専用のアクセス規制メカニズムであり；
AB  for  NB-IoT：即ち、ナローバンドIoT（NB-IoT、Narrow-Band  Internet  of  Things）専用のアクセス規制メカニズムであり；及び
アプリケーション専用のデータ通信輻輳制御（ACDC、Application  specific  Congestion  control  for  Data  Communication）：即ち、オペレーターが確定するUE内のアプリケーション専用のアクセス規制メカニズムである。
【０００４】
また、アクセスリクエスト拒否方法もアクセス制御に用いられる。例えば、ランダムアクセスプロシージャ完成後、ユーザ装置がネットワーク側に無線リソース制御（RRC、Radio  Resource  Control）接続確立リクエスト又は接続回復リクエストを送信することができ、その中に確立原因値がキャリー（carry）され、該確立原因値に基づいて、ネットワーク側は、該リクエストを承諾するかを決定することができ、ネットワーク側で該リクエストを承諾した場合、RRC接続確立メッセージ又はRRC接続回復メッセージを送信することができ、そうでない場合、RRC接続拒否メッセージを返す。該接続確立リクエスト又は接続回復リクエストを承諾又は拒否することで、ネットワーク側では、輻輳の状況について制御することができる。
【０００５】
なお、上述の背景技術についての紹介は、本発明の技術案を明確且つ完全に説明し、また、当業者がそれを理解しやすいためのものである。これらの技術案は、本発明の背景技術に記述されているため、当業者にとって周知であると解釈してはならない。
【発明の概要】
【発明が解決しようとする課題】
【０００６】
発明者が次のようなことを発見した。第5世代（5G）例えば新無線（NR、New  Radio）システムでは、統一アクセス制御（UAC、Unified  Access  Control）メカニズムを提供する必要がある。しかし、具体的にどのようにアクセスクラスの確定を行うかについて、今のところ、解決案が存在しない。
【０００７】
本発明の実施例は、アクセス制御方法、装置及び通信システムを提供する。アクセスアテンプトとアクセスクラスとのマッピング関係に基づいて、開始するアクセスアテンプト（例えば、各新しいアクセスアテンプト）に対応するアクセスクラスを確定する。
【課題を解決するための手段】
【０００８】
本発明の実施例の第一側面によれば、アクセス制御方法が提供され、それは、
アクセスアテンプトとアクセスクラスとのマッピング関係に基づいて、アクセスアテンプトに対応するアクセスクラスを確定し；
前記アクセスクラスに基づいてアクセス規制チェックを行い、前記アクセスクラスに対応するアクセスアテンプトが規制されるかを確定し；及び
前記アクセスアテンプトが許可された場合、ネットワーク装置に接続確立リクエストメッセージ又は接続回復リクエストメッセージを送信することを含む。
【０００９】
本発明の実施例の第二側面によれば、アクセス制御装置が提供され、それは、
アクセスアテンプトとアクセスクラスとのマッピング関係に基づいて、アクセスアテンプトに対応するアクセスクラスを確定するアクセスクラス確定ユニット；
前記アクセスクラスに基づいてアクセス規制チェックを行い、前記アクセスクラスに対応するアクセスアテンプトが規制されるかを確定するアクセス規制チェックユニット；及び
前記アクセスアテンプトが許可された場合、ネットワーク装置に接続確立リクエストメッセージ又は接続回復リクエストメッセージを送信するリクエスト送信ユニットを含む。
【００１０】
本発明の実施例の第三側面によれば、アクセス制御方法が提供され、それは、
ユーザ装置にアクセスアテンプトとアクセスクラスとのマッピング関係を設定するための設定情報を送信し、前記ユーザ装置に、前記アクセスアテンプトとアクセスクラスとのマッピング関係に基づいて、アクセスアテンプトに対応するアクセスクラスを確定させ；
前記装置により送信される接続確立リクエストメッセージ又は接続回復リクエストメッセージを受信し；及び
前記ユーザ装置の接続確立リクエスト又は接続回復リクエストを許可するかを確定することを含む。
【００１１】
本発明の実施例の第四側面によれば、アクセス制御装置が提供され、
ユーザ装置にアクセスアテンプトとアクセスクラスとのマッピング関係を設定するための設定情報を送信し、前記ユーザ装置に、前記アクセスアテンプトとアクセスクラスとのマッピング関係に基づいて、アクセスアテンプトに対応するアクセスクラスを確定させる設定送信ユニット；
前記装置により送信される接続確立リクエストメッセージ又は接続回復リクエストメッセージを受信するリクエスト受信ユニット；及び
前記ユーザ装置の接続確立リクエスト又は接続回復リクエストを許可するかを確定する接続確定ユニットを含む。
【００１２】
本発明の実施例の第五側面によれば、通信システムが提供され、それは、
上述の第四側面に記載のアクセス制御装置を含むネットワーク装置；及び
上述の第二側面に記載のアクセス制御装置を含むユーザ装置を含む。
【００１３】
本発明の実施例の有益な効果は、次の通りであり、即ち、アクセスアテンプトとアクセスクラスとのマッピング関係に基づいて、開始するアクセスアテンプトに対応するアクセスクラスを確定することにより、異なるシナリオにおいてもアクセスクラスを確定し、簡単で且つ効率が良い方式で統一アクセス制御メカニズム（unified  access  control  mechanism）を実現することができる。
【００１４】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１５】
また、1つの実施方式について説明した及び／又は示した特徴は、同じ又は類似した方式で1つ又は複数の他の実施形態に用い、他の実施形態における特徴と組み合わせ、又は、他の実施形態における特徴を置換することもできる。
【００１６】
なお、「含む／有する」のような用語は、本明細書に使用されるときに、特徴、要素、ステップ、又はアセンブルの存在を指すが、1つ又は複数の他の特徴、要素、ステップ、又はアセンブリの存在又は付加を排除しないということも指す。
【図面の簡単な説明】
【００１７】
本発明の1つの図面又は1つの実施形態に記載の要素及び特徴は、1つ又は複数の他の図面又は実施形態に示した要素及び特徴と組み合わせることができる。また、図面では、類似した符号は、幾つの図面における対応する部品を示し、複数の実施形態に用いる対応部品を示すためにも用いられる。
【図１】本発明の実施例に係る通信システムを示す図である。
【図２】本発明の実施例に係るアクセス制御方法を示す図である。
【図３】本発明の実施例に係るアクセス制御方法を示す他の図である。
【図４】本発明の実施例に係るアクセス制御方法を示す他の図である。
【図５】本発明の実施例に係るアクセス制御装置を示す図である。
【図６】本発明の実施例に係るアクセス制御装置を示す他の図である。
【図７】本発明の実施例に係るネットワーク装置を示す図である。
【図８】本発明の実施例に係るユーザ装置を示す図である。
【発明を実施するための形態】
【００１８】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内のすべての変更、変形及び代替によるものも含むということである。
【００１９】
本発明の実施例では、用語「通信ネットワーク」又は「無線通信ネットワーク」は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００２０】
また、通信システムにおける装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２１】
本発明の実施例では、用語「ネットワーク装置」は、例えば、通信システムにおける、端末装置を通信ネットワークに接続し、且つ該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２２】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語「基地局」は、それらの一部又はすべての機能を含んでも良く、各基地局は、特定の地理の分野に対して通信カバレッジを提供することができる。用語「セル」が指すのは、基地局及び／又はそのカバーする分野であっても良い、これは、該用語のコンテキストによるものである。
【００２３】
本発明の実施例では、用語「ユーザ装置」（UE、User  Equipment）又は「端末装置」（TE、Terminal  Equipment）は、例えば、ネットワーク装置により通信ネットワークにアクセスし、且つネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２４】
そのうち、ユーザ装置は、次のようなものを含んでも良いが、それに限定されず、例えば、携帯電話（Cellular  Phone）、PDA（Personaｌ  Digital  Assistant）、無線モデム、無線通信装置、携帯装置、マシンタイプ通信装置、ラップトップコンピュータ、コードレス電話機、スマートフォン、スマートウォッチ、デジタルカメラなどである。
【００２５】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、マシンタイプ通信（MTC、Machine  Type  Communication）端末、車載通信端末、D2D（Device  to  Device）端末、M2M（Machine  to  Machine）端末などである。
【００２６】
以下、例を挙げて本発明の実施例におけるシナリオについて説明を行うが、本発明は、これに限られない。
【００２７】
図1は、本発明の実施例における通信システムを示す図であり、ユーザ装置及びネットワーク装置を例とする場合を例示的に説明する。図1に示すように、通信システム100は、ネットワーク装置101及び端末装置102を含んでも良い。なお、便宜のため、図1では、１つのみの端末装置及び１のみのネットワーク装置を例として説明を行うが、本発明は、これに限られない。
【００２８】
本発明の実施例では、ネットワーク装置101と端末装置102との間は、従来のトラフィック又は将来実施可能なトラフィックが行われても良い。これらのトラフィックは、例えば、eMBB（enhanced  Mobile  Broadband）、mMTC（massive  Machine  Type  Communication）、URLLC(Ultra-Reliable  and  Low-Latency  Communication）などを含むが、これに限定されない。
【００２９】
NRシステムでは、統一アクセス制御メカニズムが提供され、それは、例えば、各アクセスアテンプトを１つのアクセスクラス（AC、access  category）に分類することができ；ネットワーク側でアクセス制御情報をブロードキャストすることができ；アクセスアテンプトに対応するアクセスクラスに適用されるアクセス制御情報に基づいて、ユーザ装置により実際のアクセスアテンプトを行うかをチェックすることを含む。
【００３０】
例えば、アクセスクラスは、次のような特性を含んでも良く、即ち、拡張可能性をサポートすることであり、即ち、追加の標準化アクセスクラス（例えば、AC  0乃至AC  30）、及びオペレーターが自分のポリシー（例えば、アプリケーション、ネットワークスライシングなど）を用いて定義するアクセスクラス（例えばAC  31至AC  63）の増加を許し；アクセスクラスができるだけ互いに排斥することであり、例えば、ユーザ装置関連状況及びアクセスアテンプト類型を用いて組み合わせてアクセスクラスを定義することができ；及びユーザ装置が必ずしもLTEキャリアバンド内でのNR及びLTEの同時接続をサポートする必要がないことである。
【００３１】
例えば、統一アクセス制御メカニズムは、進化のユニバーサル移動体通信システム（UMTS、Universal  Mobile  Telecommunications  System）地上無線アクセス（E-UTRA、Evolved  UMTS  Terrestrial  Radio  Access）又はNRを用いて5Gコアネットワークにアクセスするユーザ装置に適用され得る。また、該メカニズムは、さらに、アイドル状態、インアクティブ状態、又は接続状態のユーザ装置が新しいアクセスアテンプト（例えば、新しいセッションリクエスト）を開始するときの状況にも適用され得る。
【００３２】
以下、NRシステムを例として、本発明の実施例について説明するが、本発明は、これに限られず、さらに、類似問題が存在する任意の他のシステムに適用することもできる。
【実施例１】
【００３３】
本発明の実施例は、アクセス制御方法を提供し、ユーザ装置側からそれについて説明する。
【００３４】
図2は、本発明の実施例におけるアクセス制御方法を示す図であり、ユーザ装置側の場合を示す。図2に示すように、アクセス制御方法200は、以下のステップを含む。
【００３５】
ステップ201：ユーザ装置がアクセスアテンプトとアクセスクラスとのマッピング関係に基づいて、アクセスアテンプトに対応するアクセスクラスを確定し；
ステップ202：ユーザ装置が前記アクセスクラスに基づいてアクセス規制チェックを行い、前記アクセスクラスに対応するアクセスアテンプトが規制されるかを確定し；及び
ステップ203：ユーザ装置が、前記アクセスアテンプトが許可された場合、ネットワーク装置に接続確立リクエストメッセージ又は接続回復リクエストメッセージを送信する。
【００３６】
本実施例では、ユーザ装置は、各新しいアクセスアテンプトのために、対応するアクセスクラスを確定することができ、或る１つの開始するアクセスアテンプトのために、対応するアクセスクラスを確定することもできる。アクセスアテンプトとアクセスクラスとのマッピング関係は、予め確定されてユーザ装置に記憶されても良く、例えば、オペレーター又は標準（仕様書）により予め定義されても良く、基地局により設定メッセージ（例えば、RRCメッセージ）を用いて設定されても良いが、本発明は、これに限られない。
【００３７】
図3は、本発明の実施例におけるアクセス制御方法を示す他の図であり、１つの新しいアクセスアテンプトを例として説明を行う。図3に示すように、アクセス制御方法300は、以下のステップを含む。
【００３８】
ステップ301：ユーザ装置が１つの新しいアクセスアテンプトを開始し；
ステップ302：ユーザ装置がアクセスアテンプトとアクセスクラスとのマッピング関係に基づいて、該アクセスアテンプトに対応するアクセスクラスを確定し；
ステップ303：ユーザ装置が、アクセスアテンプトと確立原因値とのマッピング関係、或いは、アクセスクラスと確立原因値とのマッピング関係に基づいて、前記アクセスアテンプトに対応する確立原因値を確定し；
ステップ304：ユーザ装置が、前記アクセスクラスに基づいてアクセス規制チェックを行い、前記アクセスクラスに対応するアクセスアテンプトが規制されるかを確定し、前記アクセスアテンプトが規制されない（即ち、該アクセスアテンプトが許可されている）と確定した場合、ステップ305を実行し、そうでない場合、ステップ306を実行し；
ステップ305：ユーザ装置が、ネットワーク装置に、アクセスクラス及び／又は確立原因値を含む接続確立リクエストメッセージ又は接続回復リクエストメッセージを送信し；
ステップ306：ユーザ装置が、ネットワーク装置に接続確立リクエストメッセージ又は接続回復リクエストメッセージを送信しない。
【００３９】
本実施例では、アクセスアテンプトと確立原因値とのマッピング関係、或いは、アクセスクラスと確立原因値とのマッピング関係は、予め確定されてユーザ装置に記憶されても良く、例えば、オペレーター又は標準（仕様書）により予め定義されても良く、基地局により設定メッセージ（例えば、RRCメッセージ）を用いて設定されても良いが、本発明は、これに限られない。
【００４０】
本実施例では、アクセスクラスは、予め複数定義されても良く、例えば、標準（仕様書）により定義されるAC  0乃至AC  30）及びオペレーターにより定義されるAC  31乃至AC  63を含んでも良い。複数のアクセスクラスは、１つの確立原因値に対応しても良く、例えば、AC  0乃至AC  3が原因値1に対応し、AC  4乃至AC  10が原因値2に対応するなどである。なお、本発明は、これに限られず、実際のニーズに応じてアクセスクラス及び確立原因値を定義しても良い。
【００４１】
本実施例では、ユーザ装置は、ネットワーク装置の指示又はネットワーク装置設定の条件に基づいて、前記アクセスクラスを前記接続確立リクエストメッセージ又は接続回復リクエストメッセージに含めても良く、或いは、前記確立原因値を前記接続確立リクエストメッセージ又は接続回復リクエストメッセージに含めても良い。
【００４２】
例えば、ネットワーク側でパラメータuseAccessCateを設定しても良く、該パラメータがTrueと設定される場合、前記アクセスクラスが前記接続確立リクエストメッセージ又は接続回復リクエストメッセージに含まれても良く、これにより、基地局は、より正確な情報を得ることができる。該パラメータがTrueと設定されない場合、例えば、該パラメータがfalseと設定される場合、前記確立原因値が前記接続確立リクエストメッセージ又は接続回復リクエストメッセージに含まれても良く、これにより、メッセージリソースを節約することができる。
【００４３】
或いは、ネットワーク側で閾値THを設定しても良く、アクセスクラスを指示するに必要なリソース数（例えば、ビット数）が該閾値よりも大きい場合、前記確立原因値は、前記接続確立リクエストメッセージ又は接続回復リクエストメッセージに含まれても良く、アクセスクラスを指示するに必要なリソース数（例えば、ビット数）が該閾値以下の場合、前記アクセスクラスは、前記接続確立リクエストメッセージ又は接続回復リクエストメッセージに含まれても良い。
【００４４】
なお、以上、図2及び図3は、本発明の実施例を例示的に説明するだけのものであり、本発明は、これに限られない。例えば、各ステップ間の実行順序を適切に調整したり、幾つかのステップを増減したりすることもできる。当業者は、図2及び図3の記載に限られず、上述の内容に基づいて適切な変更を行うこともできる。
【００４５】
１つの実施方式では、非アクセス層（NAS、Non  Access  Stratum）において前記アクセスクラス及び／又は前記確立原因値を確定しても良い。
【００４６】
そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、NAS層で定義され、又は、ネットワーク装置によりNAS層のシグナリングを用いてユーザ装置に通知されても良く、NAS層は、確定された前記アクセスクラス及び／又は前記確立原因値をRRC層に指示又は伝送することができ、そして、RRC層は、前記アクセス規制チェックを行うことができる。
【００４７】
例えば、アクセスアテンプトを開始する任意の実体又は層がNAS層にアクセスアテンプトに関連する情報を提供することができ、RRC層は、ネットワーク側から受信したアクセス制御情報のうち、アクセスクラスの確定に関連するパラメータ、例えば、AC2に適用され得るUEクラスをNASに提供することができ。
【００４８】
また、例えば、NAS層プロトコルにおいてアクセスアテンプトとアクセスクラスとの間のマッピング関係が定義されても良く、及び／又は、NAS層プロトコルにおいてアクセスアテンプトと確立原因値との間のマッピング関係、又は、アクセスクラスと確立原因値との間のマッピング関係が定義されても良い。
【００４９】
また、例えば、RRC層でアクセス規制チェックを行う場合、NAS層は、確定されるアクセスクラス及び／又は確立原因値をRRC層に通知することができる。このように、RRC層は、NAS層から受信したアクセスクラス、及びネットワーク側から受信したアクセス制御情報に基づいてアクセス規制チェックを行い、前記アクセスクラスに対応するアクセスが規制されるかを確定することができ、前記アクセスが規制されない（即ち、該アクセスが許可されている）と確定された場合、UEは、リクエストメッセージにNAS層から受信したアクセスクラス又は確立原因値を含めることができ、これにより、ネットワーク側では、該アクセスクラス又は確立原因値に基づいて、該接続確立リクエスト又は接続回復リクエストを許可するかを確定することができる。
【００５０】
もう１つの実施方式では、RRC層で前記アクセスクラス及び／又は前記確立原因値を確定しても良い。そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数がRRC層で定義されても良く、又は、ネットワーク装置によりRRC層のシグナリングを用いてユーザ装置に通知されても良く、NAS層は、RRC層に前記アクセスクラスを確定するためのパラメータを提供することができ、そして、RRC層は、前記アクセス規制チェックを行うことができる。
【００５１】
例えば、アクセスアテンプトを開始する任意の実体又は層がRRC層にアクセスアテンプトに関連する情報を提供することができ、NAS層は、RRCにアクセスクラスを確定するに必要なパラメータ、例えば、公衆携帯電話網（PLMN、Public  Land  Mobile  Network）情報、スライシング及び／又はAC2中のUEクラスを提供することができる。
【００５２】
また、例えば、RRC層プロトコルでアクセスアテンプトとアクセスクラスとの間のマッピング関係が定義されても良く、及び／又は、RRC層プロトコルでアクセスアテンプトと確立原因値との間のマッピング関係、又は、アクセスクラスと確立原因値との間のマッピング関係が定義されても良い。
【００５３】
また、例えば、RRC層でアクセス規制チェックを行う場合、RRC層は、アクセスアテンプトを開始し得る任意の実体又は層から受信した情報、NAS層から受信した情報、及びネットワーク側から受信した情報に基づいて、アクセスアテンプトを対応するアクセスクラスにマッピングし、そして、アクセスアテンプト／アクセスクラスに基づいて確立原因値を確定し、RRC層は、ネットワーク側から受信したアクセス制御情報に基づいて、アクセス規制チェックを行い、前記アクセスクラスに対応するアクセスが規制されるかを確定することができ、前記アクセスが規制されない（即ち、該アクセスが許可されている）と確定された場合、UEは、リクエストメッセージに該アクセスクラス又は確立原因値を含めることができ、これにより、ネットワーク側では、該アクセスクラス又は確立原因値に基づいて、該接続確立リクエスト又は接続回復リクエストを受けるかを確定することができる。
【００５４】
上述のNAS層集中型マッピング方式又はRRC層集中型マッピング方式で、唯一なアクセスクラスを容易に確定することができ、また、より効率良く統一アクセス制御メカニズムを実現することができる。
【００５５】
もう１つの実施方式では、複数の異なる層において前記アクセスクラス及び／又は前記確立原因値を確定しても良い。そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記アクセスアテンプトを開示する層又はRRC状態に基づいて確定される層において定義されても良い。
【００５６】
例えば、前記アクセスアテンプトを開始する層又はRRC状態に基づいて確定される層において、前記アクセスクラスを確定し、及び／又は、前記アクセスクラスを確定する層又はRRC状態に基づいて確定される前記層において前記確立原因値を確定する。
【００５７】
また、例えば、前記アクセスアテンプトを開始する層は、例えば、次のようなもののうちの１つ又は複数の層、及び／又は、１つ又は複数の実体を含んでも良く、即ち、アプリケーション層、インターネットプロトコル（IP、Internet  Protocol）層、NAS層、RRC層、及びユーザプレーンであり、RRC状態に基づいて確定される層は、例えば、次のようなもののうちの１つ又は複数の層、及び／又は、１つ又は複数の実体を含んでも良く、例えば、ユーザ装置がアイドル状態にあるときのNAS層、ユーザ装置がインアクティブ状態にあるときのRRC層、及びユーザ装置が接続状態にあるときのユーザプレーンである。なお、本発明は、これに限られず、実際のニーズに応じて具体的な実施方式を確定しても良い。
【００５８】
本実施方式では、前記複数の異なる層が複数の異なるアクセスクラスを確定した場合、NAS層又はRRC層により前記複数の異なるアクセスクラスのうちから１つのアクセスクラスを選択することができる。これにより、唯一なアクセスクラスを、後続のアクセス規制チェックのために確定することができる。
【００５９】
例えば、NAS層において実現されても良く、この場合、予めACのランキング（ranking）を設定しても良く、例えば、クラスが最高であり又はクラスが最低であるACを選択しても良い。
【００６０】
また、例えば、RRC層において実現されても良く、この場合、RRCプロトコルで唯一なアクセスクラスの確定のためのルールを設定してもよく、ネットワーク側で前記ルールを設定しても良い。前記ルールは、すべてのユーザ装置の共通のものであっても良く、幾つかのユーザ装置の専用のものであっても良い。
【００６１】
これらのルールは、次のようなものを含んでも良く、即ち、AC  ranking及び如何に選択を行うかであり、例えば、クラスが最高であり又はクラスが最低であるアクセスクラスを選択し；優先度のルールであり、即ち、異なる時刻又は異なるRRC状態で、或る類型のACを選択する。例えば、標準（仕様書）定義のアクセスクラス及びオペレーター定義のアクセスクラスを同時に確定した場合、オペレーター定義のアクセスクラスを使用する。なお、本発明は、これに限られず、例えば、さらに、上述のルールの組み合わせであっても良く、実際のニーズに応じて具体的な実施方式を確定しても良い。
【００６２】
上述の分布型マッピングの方式で、層間インタラクションをできるだけ減少させることができ、複数のアクセスクラスのうちから唯一なアクセスクラスを確定することができ、また、より簡単に統一アクセス制御メカニズムを実現することができる。
【００６３】
もう１つの実施方式では、ユーザ装置は、アクセス制御のための１つ又は複数のタイマーを処理しても良く、そのうち、各タイマーは、１つ又は一組又はすべてのアクセスクラスに対応する。前記タイマーは、RRC層又はNAS層により設定されても良く、及び／又は、前記タイマーは、さらに、RRC層又はNAS層により維持されても良いが、本発明は、これに限られない。
【００６４】
以下、４種類のタイマーを例として説明を行うが、本発明は、これに限られず、例えば、そのうちの１つ又は複数のタイマーを定義しても良く、また、さらに他のタイマーを定義しても良い。
【００６５】
例えば、前記タイマーは、ユーザ装置専用の規制タイマーTue_barredを含んでも良い。ネットワーク側は、設定情報を送信することで、UEのために該タイマー及び該タイマーが適用されるACを設定することができる。或るアクセスクラスが前記Tue_barredに適用され（例えば、前記Tue_barredを定義又は設定されている）、且つ前記アクセスクラスに基づいてアクセス規制チェックを行った結果が「前記アクセスクラスに対応するアクセスが規制される」の場合、前記Tue_barredを起動し、また、前記Tue_barredがランニング（running）する場合、前記ユーザ装置のすべての又は所定の又は設定のアクセスクラスに対してアクセス規制チェックを行わず、前記アクセスクラスに対応するアクセスアテンプト又はアクセスが規制されると確定する（又は見なす）。
【００６６】
例えば、UEが、１つのアクセスアテンプトのアクセスクラスがそれぞれAC  8、AC  48であると確定し、ネットワーク側設定のアクセス制御情報に、該Tue_barredが設定され、且つ該タイマーがすべてのアクセスクラスに適用されると指示される。このように、UEは、UEの実装又はネットワーク側の指示に従って、AC  8又はAC  48に基づいてアクセス規制チェックを行うことができ、結果が「アクセスを規制する」の場合、さらにAC  48又はAC  8に基づいてアクセス規制チェックを行わず、該Tue_barredを起動し、結果が「アクセスを許可する」の場合、UEは、さらにAC  48又はAC  8に基づいてアクセス規制チェックを行う必要がある。
【００６７】
これにより、該タイマーTue_barredを用いることにより、複数のアクセスクラスを確定したユーザ装置が如何にアクセス規制チェックを行うかを制御することができる。該タイマーが、ネットワークの輻輳が非常に厳しい場合に適用されても良く、このような場合、より少ない回数のアクセス規制チェックにより、より多くのユーザ装置のアクセスが規制されるようにさせることで、ネットワークの輻輳の状況を迅速に緩和することができる。
【００６８】
また、例えば、前記タイマーは、ユーザ装置専用の許可タイマーTue_allowedを含んでも良い。ネットワーク側は、設定情報を送信することで、UEのために該タイマー及び該タイマーが適用されるACを設定することができる。或るアクセスクラスが前記Tue_allowedに適用され（例えば、Tue_allowedを定義又は設定されている）、且つ前記アクセスクラスに基づいてアクセス規制チェックを行った結果が「前記アクセスクラスに対応するアクセスが許可される」の場合、前記Tue_allowedを起動し、また、前記Tue_allowedがランニングする場合、前記ユーザ装置のすべての又は所定の又は設定のアクセスクラスに対して前記アクセス規制チェックを行わず、前記アクセスクラスに対応するアクセスアテンプト又はアクセスが許可されると確定する（又は見なす）。
【００６９】
例えば、UEが、１つのアクセスアテンプトのアクセスクラスがそれぞれAC  8、AC  48であると確定し、ネットワーク側設定のアクセス制御情報に、該Tue_allowedが設定され、且つ該タイマーがすべてのアクセスクラスに適用されると指示される。このように、UEは、UEの実装又はネットワーク側の指示をもとに、AC  8又はAC  48に基づいてアクセス規制チェックを行うことができ、結果が「アクセスを許可する」の場合、AC  48又はAC  8に基づいてアクセス規制チェックを行わず、該Tue_allowedを起動し、結果が「アクセスを規制する」の場合、UEは、さらに、AC  48又はAC  8に基づいてアクセス規制チェックを行うことができる。
【００７０】
これにより、該タイマーTue_allowedを使用することで、複数のアクセスクラスを確定したユーザ装置が如何にアクセス規制チェックを行うかを制御することができる。該タイマーが、ネットワークの輻輳が比較的軽い場合に適用されても良く、このような場合、より少ない回数のアクセス規制チェックにより、より多くのユーザ装置のアクセスが許可されるようにさせることができる。
【００７１】
また、例えば、前記タイマーは、アクセスクラス（組）専用の規制タイマーTac_barredを含んでも良い。ネットワーク側は、設定情報を送信することで、或る又は或る組のアクセスクラスのために該タイマーを設定することができる。或るアクセスクラスが前記Tac_barredに適用され（例えば、を前記Tac_barred定義又は設定されている）、且つ前記アクセスクラスに基づいてアクセス規制チェックを行った結果が「前記アクセスクラスに対応するアクセスが規制される」の場合、前記Tac_barredを起動し、また、前記Tac_barredがランニングする場合、前記アクセスクラス又は前記アクセスクラス組に対して前記アクセス規制チェックを行わず、前記アクセスクラス又は前記アクセスクラス組に対応するアクセスアテンプト又はアクセスが規制されると確定する（又は見なす）。
【００７２】
例えば、UEが、１つのアクセスアテンプトのアクセスクラスがそれぞれAC  8、AC  48であると確定し、ネットワーク側設定のアクセス制御情報に、該Tac_barredが設定され、且つ該タイマーがAC  8に適用されると指示される。このように、UEは、UEの実装又はネットワーク側の指示をもとに、AC  8又はAC  48に基づいてアクセス規制チェックを行うことができる。UEが、先にAC  8に基づいてアクセス規制チェックを行うと確定し、且つチェック結果が「アクセスを規制する」の場合、さらにAC  48に基づいてアクセス規制チェックを行うことがなく、タイマーTac_barredを起動し、また、結果が「アクセスを許可する」の場合、UEは、さらにAC  48に基づいてアクセス規制チェックを行う必要がある。
【００７３】
これにより、該タイマーTac_barredを用いることにより、複数のアクセスクラスを確定したユーザ装置が如何にアクセス規制チェックを行うかを制御することができる。該タイマーが、ネットワークの輻輳が適度であるが、その中の幾つかのUE又はトラフィックの優先度が低く又は数量が比較的多い場合に適用されても良く、このような場合、より少ない回数のアクセス規制チェックにより、より多くの対応するクラスのユーザ装置のアクセスが規制されるようにさせることができる。
【００７４】
また、例えば、前記タイマーは、アクセスクラス（組）専用の許可タイマーTac_allowedを含んでも良い。ネットワーク側は、設定情報を送信することで、或る又は或る組のアクセスクラスのために該タイマーを設定することができる。或るアクセスクラスが前記Tac_allowedに適用され（例えば、前記Tac_allowedを定義又は設定されている）、且つ前記アクセスクラスに基づいてアクセス規制チェックを行った結果が「前記アクセスクラスに対応するアクセスが許可される」の場合、前記Tac_allowedを起動し、また、前記Tac_allowedがランニングする場合、前記アクセスクラス又は前記アクセスクラス組に対して前記アクセス規制チェックを行わず、前記アクセスクラス又は前記アクセスクラス組に対応するアクセスアテンプト又はアクセスが許可されると確定する（又は見なす）。
【００７５】
例えば、UEが、１つのアクセスアテンプトのアクセスクラスがそれぞれAC  8、AC  48であると確定し、ネットワーク側設定のアクセス制御情報に、該Tac_allowedが設定され、且つ該タイマーがAC  8に適用されると指示される。このように、UEは、UEの実装又はネットワーク側の指示をもとに、AC  8又はAC  48に基づいてアクセス規制チェックを行うことができ、UEが、先にAC  8に基づいてアクセス規制チェックを行うと確定し、且つチェック結果が「アクセスを許可する」の場合、さらにAC  48に基づいてアクセス規制チェックを行うことがなく、該タイマーTac_allowedを起動し、また、結果が「アクセスを規制する」の場合、UEは、さらにAC  48に基づいてアクセス規制チェックを行う必要がある。
【００７６】
これにより、該タイマーTac_allowedを使用することで、複数のアクセスクラスを確定したユーザ装置が如何にアクセス規制チェックを行うかを制御することができる。該タイマーが、ネットワークの輻輳が適度であるが、その中の幾つかのUE又はトラフィックの優先度が高く又は数量が比較的少ない情況に適用されても良く、このような場合、より少ない回数のアクセス規制チェックにより、より多くの対応するクラスのユーザ装置のアクセスが許可されるようにさせることができる。
【００７７】
なお、上述のタイマーが、それぞれ、単独使用され得るが、そのうちの複数を組み合わせることで、より複雑なネットワーク負荷の状況を処理しても良い。以下、２つの例を挙げて例示的に説明する。
【００７８】
１つの例では、例えば、ネットワークの輻輳が比較的厳しい場合、ネットワーク側から通知するアクセス制御情報には、すべてのACに適用されるUE専用の規制タイマーTue_barred、及びAC  3、AC  32に対応する許可タイマーTac_allowedが含まれる。
【００７９】
例えば、UE  1が、アクセスクラスがAC  3（即ち、標準（仕様書）で定義される緊急呼び出し）及びAC  32（或るオペレーターにより定義される緊急サービスに対応するアクセスクラス）であると確定し、プロトコルの規定／ネットワークの設定に従って、UE  1は、先にAC  3に基づいてアクセス規制チェックを行う。チェック結果が「アクセスを規制する」の場合、UE  1は、さらにAC  32に対してアクセス規制チェックを行う必要がなく、直接、該アクセスが規制されると見なし、そして、該UE専用の規制タイマーTue_barredを起動する。チェック結果が「アクセスを許可する」の場合、直接、該アクセスが許可されると認定し、そして、該AC専用の許可タイマーTac_allowedを起動し、該タイマーがAC  32に適用されることを考慮して、UE  1は、さらにAC  32に対してアクセス規制チェックを行う必要もない。
【００８０】
また、例えば、UE  2が、アクセスクラスがAC  3（即ち、標準（仕様書）で定義される緊急呼び出し）及びAC  42（或るオペレーターが定義する一般サービスに対応するアクセスクラス）であると確定し、プロトコルの規定／ネットワークの設定に従って、UE  2は、先にAC  3に基づいてアクセス規制チェックを行う。チェック結果が「アクセスを規制する」の場合、UE  2は、さらにAC  42に対してアクセス規制チェックを行う必要がなく、直接、該アクセスが規制されると認定し、そして、該UE専用の規制タイマーTue_barredを起動する。チェック結果が「アクセスを許可する」の場合、直接、該アクセスが許可されると見なし、そして、該AC専用の許可タイマーTac_allowedを起動し、該タイマーがAC  42に適用されないことを考慮して、UE  2は、依然として、さらにAC  42に対してアクセス規制チェックを行う必要がある。チェック結果が「アクセスを許可する」の場合、UE  2が接続確立プロシージャを開始し、そうでない場合、該アクセスアテンプトが規制され、そして、該UE専用の規制タイマーTue_barredを起動する。
【００８１】
もう１つの例では、上述のタイマーメカニズムは、複数のアクセスクラスの処理に用いられ得る以外に、さらに層間インタラクションの簡略化にも用いられ得る。
【００８２】
例えば、１つのアクセスアテンプトがAC  1に属するかを確定するために、次のようなステップを行う必要があり、即ち、（1）UEクラス（access  class）がAC  11乃至AC  15のうちのどのもの又はどんなものであるかをチャックし；（2）NAS層が、選択されるPLMN類型がhome  PLMNであるか、それとも、visited  PLMNであるかを確定し、また、該UEに有効なUEクラスが存在するかを確定し；（3）ネットワーク設定の規制制御情報において該UEに対応する有効なUEクラスのフラグflagが規制されるか、それとも、規制されないかをチェックし、規制されない場合、該アクセスアテンプトは、AC  1に属し、そうでない場合、該アクセスアテンプトは、AC  1に属せず、この場合、UEは、さらに、該アクセスアテンプトのためにAC  1以外の他のアクセスクラスを確定する必要がある。
【００８３】
上述のプロセスを簡略化するために、上述のタイマーを使用することで同じ効果を実現することができる。
【００８４】
例えば、ネットワークがAC  1のためにUE専用の許可タイマーTue_allowedを設定し、該タイマーは、すべてのACに適用される。UEは、上述のステップ（1）及び（2）により、自分が有効な高UEクラス（例えば、AC  11乃至AC  15のうちの１つ又は複数）を有すると確定し、即ち、該UEの１つのアクセスクラスがAC  1であると確定し、また、さらにUEのためにもう１つ又は複数のアクセスクラスを確定し、例えば、AC  0、AC  1及びAC  2以外の他の任意のアクセスクラスであっても良い。
【００８５】
このように、UEが先にAC  1に従ってアクセス規制チェックを行い、結果が「アクセスを許可する」の場合、UEは、直接、接続確立プロシージャの開始を許可すると見なし、そうでない場合、チェック結果が「アクセスを規制する」であり、この場合、さらに別途確定されるアクセスクラスに基づいて、アクセス規制チェックを行う。
【００８６】
なお、以上、AC  1を例として説明を行ったが、本発明は、これに限られず、例えば、或るアクセスアテンプトがAC  2に属するかの確定に適用することもできる。
【００８７】
これにより、ネットワーク側で、簡単なタイマー設定により、異なる輻輳の状況を処理することができ、端末側で、簡単なタイマー処理により、アクセス規制チェックの回数をできるだけ減少させることができ、これにより、エネルギー消費を低減し、接続確立を開始する遅延を短縮することができる。
【００８８】
また、上述のようなタイマーの設定メカニズムは、単独使用されても良く、上述のような集中型マッピング方式又は分布型マッピング方式と組み合わせて使用されても良い。複数のアクセスクラスを有する場合、先にどのアクセスクラスに対してアクセス規制チェックを行うかが、UEの実装により決定されても良く、プロトコルで予め規定されても良く、さらにネットワーク側で制御されても良い。例えば、ネットワーク制御が暗示的であっても良く、例えば、アクセス制御情報におけるアクセスクラス設定の順序に従って、先に設定されるアクセスクラスに対して先にチェックを行っても良く、また、ネットワーク制御が明示的であっても良く、例えば、アクセスクラスの実行順序を明示的に設定することができる。
【００８９】
なお、インアクティブ状態又は接続状態のUEについて、予め、ランニング中のタイマーが存在するかをチェックする必要がある。チェックの時点がアクセスクラス確定前、アクセスクラス確定後、毎回アクセス規制チェック前、又は、他の必要なときであっても良い。また、本発明の実施例において明確に説明されない内容について、関連技術を参照することができ、本発明は、それについて限定しない。
【００９０】
上述の実施例から分かるように、異なるシナリオ（例えば、アイドル状態、インアクティブ状態及び接続状態を含む異なるRRC状態）において、UEがアクセスアテンプトを行うときに、例えば、アクセスアテンプトに対応するアクセスクラスを唯一確定し、また、アクセスクラスを唯一確定することができない場合、複数のアクセスクラスに対して処理を行うことにより、アクセスクラスに基づいてアクセス規制チェックを行い、統一アクセス制御メカニズムを実現することができる。
【実施例２】
【００９１】
本発明の実施例は、アクセス制御方法を提供し、それは、ネットワーク装置側に応用される。なお、本発明の実施例では、実施例1と同じ内容が省略される。
【００９２】
図4は、本発明の実施例におけるアクセス制御方法を示す図であり、ネットワーク装置側の場合を示す。図4に示すように、アクセス制御方法400は、以下のステップを含む。
【００９３】
ステップ401：ネットワーク装置が、ユーザ装置にアクセスアテンプトとアクセスクラスとのマッピング関係を設定するための設定情報を送信し、前記ユーザ装置に、前記アクセスアテンプトとアクセスクラスとのマッピング関係に基づいて、アクセスアテンプトに対応するアクセスクラスを確定させ；
ステップ402：ネットワーク装置が、前記ユーザ装置により送信される接続確立リクエストメッセージ又は接続回復リクエストメッセージを受信し；及び
ステップ403：ネットワーク装置が、前記ユーザ装置の接続確立リクエスト又は接続回復リクエストを許可するかを確定する。
【００９４】
本実施例では、ネットワーク装置が、さらに、前記ユーザ装置に、アクセスアテンプトと確立原因値とのマッピング関係、或いは、アクセスクラスと確立原因値とのマッピング関係を設定するための設定情報を送信し、前記ユーザ装置に、前記アクセスアテンプトと確立原因値とのマッピング関係、或いは、前記アクセスクラスと確立原因値とのマッピング関係に基づいて、前記アクセスアテンプトに対応する確立原因値を確定させても良い。
【００９５】
本実施例では、ネットワーク装置が、さらに、前記ユーザ装置に、アクセス制御を行うための１つ又は複数のタイマーを設定するための設定情報を送信しても良く、そのうち、各タイマーは、１つ又は一組又はすべてのアクセスクラスに対応する。
【００９６】
なお、図4は、本発明の実施例を例示的に説明するためのものに過ぎず、本発明は、これに限られない。例えば、各ステップ間の実行順序を適切に調整したり、幾つかのステップを増減したりすることもできる。また、当業者は、図4の記載に限られず、上述の内容に対して適切な変形などを行うこともできる。
【００９７】
上述の実施例から分かるように、異なるシナリオ（例えば、アイドル状態、インアクティブ状態及び接続状態を含む異なるRRC状態）においてUEがアクセスアテンプトを行うときに、例えば、アクセスアテンプトに対応するアクセスクラスを唯一確定し、また、アクセスクラスを唯一確定することがでない場合、複数のアクセスクラスに対して処理を行うことにより、アクセスクラスに基づいてアクセス規制チェックを行い、統一アクセス制御メカニズムを実現することができる。
【実施例３】
【００９８】
本発明の実施例は、アクセス制御装置を提供する。該装置は、例えば、ユーザ装置であっても良く、ユーザ装置に配置される１つ又は複数の部品又はアセンブリであっても良い。なお、本実施例3では、実施例1と同じ内容が省略される。
【００９９】
図5は、本発明の実施例におけるアクセス制御装置を示す図であり、図5に示すように、アクセス制御装置500は、以下のものを含む。
【０１００】
アクセスクラス確定ユニット501：アクセスアテンプトとアクセスクラスとのマッピング関係に基づいて、アクセスアテンプトに対応するアクセスクラスを確定し；
アクセス規制チェックユニット502：前記アクセスクラスに基づいてアクセス規制チェックを行い、前記アクセスクラスに対応するアクセスアテンプトが規制されるかを確定し；及び
リクエスト送信ユニット503：前記アクセスアテンプトが許可された場合、ネットワーク装置に接続確立リクエストメッセージ又は接続回復リクエストメッセージを送信する。
【０１０１】
図5に示すように、前記アクセス制御装置500は、さらに、以下のものを含んでも良い。
【０１０２】
原因値確定ユニット504：アクセスアテンプトと確立原因値とのマッピング関係、又は、アクセスクラスと確立原因値とのマッピング関係に基づいて、前記アクセスアテンプトに対応する確立原因値を確定する。
【０１０３】
本実施例では、前記リクエスト送信ユニット503は、ネットワーク装置の指示又はネットワーク装置設定の条件に基づいて、前記アクセスクラスを前記接続確立リクエストメッセージ又は接続回復リクエストメッセージに含め、又は、前記確立原因値を前記接続確立リクエストメッセージ又は接続回復リクエストメッセージに含めることができる。
【０１０４】
例えば、ネットワーク側では、パラメータuseAccessCateを設定しても良く、該パラメータがTrueと設定される場合、前記アクセスクラスは、前記接続確立リクエストメッセージ又は接続回復リクエストメッセージに含まれ得る。該パラメータがTrueと設定されない場合、例えば、該パラメータがfalseと設定される場合、前記確立原因値は、前記接続確立リクエストメッセージ又は接続回復リクエストメッセージに含まれ得る。
【０１０５】
或いは、ネットワーク側では、閾値THを設定しても良く、アクセスクラスを指示するに必要なリソース数（例えば、ビット数）が該閾値より大きい場合、前記確立原因値は、前記接続確立リクエストメッセージ又は接続回復リクエストメッセージに含まれても良く、アクセスクラスを指示するに必要なリソース数（例えば、ビット数）が該閾値以下の場合、前記アクセスクラスは、前記接続確立リクエストメッセージ又は接続回復リクエストメッセージに含まれても良い。
【０１０６】
１つの実施方式では、非アクセス層（NAS、Non  Access  Stratum）において前記アクセスクラス及び／又は前記確立原因値を確定しても良く、そのうち、前記アクセスアテンプトとアクセスクラスとのマッピング関係、前記アクセスアテンプトと確立原因値とのマッピング関係、及び前記アクセスクラスと確立原因値とのマッピング関係のうち１つ又は複数が、前記非アクセス層で定義されても良く、ネットワーク装置によりNAS層のシグナリングを用いてユーザ装置に通知されても良い。前記非アクセス層は、確定される前記アクセスクラス及び／又は前記確立原因値を無線リソース制御（RRC）層に通知し、そして、前記無線リソース制御層は、前記アクセス規制チェックを行う。
【０１０７】
もう１つの実施方式では、無線リソース制御層において前記アクセスクラス及び／又は前記確立原因値を確定することができ、そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が前記無線リソース制御層で定義されても良く、又は、ネットワーク装置により無線リソース制御層のシグナリングを用いてユーザ装置に通知されても良い。非アクセス層は、前記無線リソース制御層に前記アクセスクラスを確定するためのパラメータを提供し、そして、前記無線リソース制御層は、前記アクセス規制チェックを行う。
【０１０８】
もう１つの実施方式では、複数の異なる層において前記アクセスクラス及び／又は前記確立原因値を確定しても良く、そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記アクセスアテンプトを開始する層又は無線リソース制御状態専用の層で定義され得る。
【０１０９】
例えば、前記アクセスアテンプトを開始する層又は無線リソース制御状態専用の層で前記アクセスクラスを確定し、及び／又は、前記アクセスクラスを確定する層又は前記無線リソース制御状態専用の層で前記確立原因値を確定する。
【０１１０】
そのうち、前記アクセスアテンプトを開始する層は、次のようなもののうちの１つ又は複数の層、及び／又は、１つ又は複数の実体を含んでも良く、即ち、アプリケーション層、IP層、NAS層、RRC層及びユーザプレーンである。前記無線リソース制御状態専用の層は、次のようなもののうちの１つ又は複数の層、及び／又は、１つ又は複数の実体を含んでも良く、例えば、ユーザ装置がアイドル状態にあるときのNAS層、ユーザ装置がインアクティブ状態にあるときのRRC層、及びユーザ装置が接続状態にあるときのユーザプレーンである。
【０１１１】
本実施方式では、前記複数異なる層で複数の異なるアクセスクラスを確定した場合、非アクセス層又は無線リソース制御層により、前記複数の異なるアクセスクラスのうちから１つのアクセスクラスを選択することができる。
【０１１２】
図5に示すように、前記アクセス制御装置500は、さらに、以下のものを含んでも良い。
【０１１３】
タイマー処理ユニット505：アクセス制御のための１つ又は複数のタイマーを処理し、そのうち、各タイマーは、１つ又は一組又はすべてのアクセスクラスに対応し；及び
タイマー起動ユニット506：前記１つ又は複数のタイマーを起動する。
【０１１４】
例えば、前記タイマーがユーザ装置専用の規制タイマーを含み、タイマー起動ユニット506は、前記アクセスクラスが前記ユーザ装置専用の規制タイマーに適用され、且つ前記アクセスクラスに基づいて前記アクセス規制チェックを行った結果が「前記アクセスクラスに対応するアクセスが規制される」の場合、前記ユーザ装置専用の規制タイマーを起動し、前記アクセス規制チェックユニット502は、さらに、前記ユーザ装置専用の規制タイマーがランニングしている場合、前記ユーザ装置のすべての又は規定の又は設定のアクセスクラスに対して前記アクセス規制チェックを行わず、前記アクセスクラスに対応するアクセスアテンプト又はアクセスが規制されると確定することができる。
【０１１５】
また、例えば、前記タイマーがユーザ装置専用の許可タイマーを含み、タイマー起動ユニット506は、前記アクセスクラスが前記ユーザ装置専用の許可タイマーに適用され、且つ前記アクセスクラスに基づいて前記アクセス規制チェックを行った結果が「前記アクセスクラスに対応するアクセスが許可される」の場合、前記ユーザ装置専用の許可タイマーを起動し、前記アクセス規制チェックユニット502は、さらに、前記ユーザ装置専用の許可タイマーがランニングしている場合、前記ユーザ装置のすべての又は規定の又は設定のアクセスクラスに対して前記アクセス規制チェックを行わず、前記アクセスクラスに対応するアクセスアテンプト又はアクセスが許可されると確定することができる。
【０１１６】
また、例えば、前記タイマーがアクセスクラス専用の規制タイマー又はアクセスクラス組専用の規制タイマーを含み、タイマー起動ユニット506は、前記アクセスクラスが前記アクセスクラス専用の規制タイマー又はアクセスクラス組専用の規制タイマーに適用され、且つ前記アクセスクラスに基づいて前記アクセス規制チェックを行った結果が「前記アクセスクラスに対応するアクセスが規制される」の場合、前記アクセスクラス専用の規制タイマー又は前記アクセスクラス組専用の規制タイマーを起動する。前記アクセス規制チェックユニット502は、さらに、前記アクセスクラス専用の規制タイマー又は前記アクセスクラス組専用の規制タイマーがランニングしている場合、前記アクセスクラス又は前記アクセスクラス組に対して前記アクセス規制チェックを行わず、前記アクセスクラス又は前記アクセスクラス組に対応するアクセスアテンプト又はアクセスが規制されると確定することができる。
【０１１７】
また、例えば、前記タイマーがアクセスクラス専用の許可タイマー又はアクセスクラス組専用の許可タイマーを含み、タイマー起動ユニット506は、前記アクセスクラスが前記アクセスクラス専用の許可タイマー又はアクセスクラス組専用の許可タイマーに適用され、且つ前記アクセスクラスに基づいて前記アクセス規制チェックを行った結果が「前記アクセスクラスに対応するアクセスが許可される」の場合、前記アクセスクラス専用の許可タイマー又は前記アクセスクラス組専用の許可タイマーを起動する。前記アクセス規制チェックユニット502は、さらに、前記アクセスクラス専用の許可タイマー又は前記アクセスクラス組専用の許可タイマーがランニングしている場合、前記アクセスクラス又は前記アクセスクラス組に対して前記アクセス規制チェックを行わず、前記アクセスクラス又は前記アクセスクラス組に対応するアクセスアテンプト又はアクセスが許可されると確定することができる。
【０１１８】
なお、以上、本発明に関連する各部品又はモジュールのみについて説明したが、本発明は、これに限られない。アクセス制御装置500は、さらに、他の部品又はモジュールを含んでも良く、これらの部品又はモジュールの具体的な内容については、関連技術を参照することができる。
【０１１９】
また、便宜のため、図5では、各部品又はモジュール間の接続関係を例示的に示しているが、当業者が理解すべきは、例えば、バスによる接続などの各種の関連技術を採用しても良いということである。また、上述の各部品又はモジュールが、例えば、処理器、記憶器、送信機、受信機などのハードウェアにより実現されても良いが、本発明の実施は、これに限定されない。
【０１２０】
上述の実施例から分かるように、異なるシナリオ（例えば、アイドル状態、インアクティブ状態及び接続状態を含む異なるRRC状態）においてUEがアクセスアテンプトを行うときに、例えば、アクセスアテンプトに対応するアクセスクラスを唯一確定し、また、アクセスクラスを唯一確定することができない場合、複数のアクセスクラスに対して処理を行うことにより、アクセスクラスに基づいてアクセス規制チェックを行い、統一アクセス制御メカニズムを実現することができる。
【実施例４】
【０１２１】
本発明の実施例は、アクセス制御装置を提供する。該装置は、例えば、ネットワーク装置であっても良く、ネットワーク装置に構成される１つ又は複数の品又はアセンブリであっても良い。なお、本実施例4では、実施例2と同じ内容が省略される。
【０１２２】
図6は、本発明の実施例に係るアクセス制御装置を示す図である。図6に示すように、アクセス制御装置600は、以下のものを含む。
【０１２３】
設定送信ユニット601：ユーザ装置にアクセスアテンプトとアクセスクラスとのマッピング関係を設定するための設定情報を送信し、前記ユーザ装置に、前記アクセスアテンプトとアクセスクラスとのマッピング関係に基づいて、アクセスアテンプトに対応するアクセスクラスを確定させ；
リクエスト受信ユニット602：前記装置により送信される接続確立リクエストメッセージ又は接続回復リクエストメッセージを受信し；及び
接続確定ユニット603：前記ユーザ装置の接続確立リクエスト又は接続回復リクエストを許可するかを確定する。
【０１２４】
本実施例では、前記設定送信ユニット601は、さらに、前記ユーザ装置にアクセスアテンプトと確立原因値とのマッピング関係、又は、アクセスクラスと確立原因値とのマッピング関係を設定するための設定情報を送信し、前記ユーザ装置に、前記アクセスアテンプトと確立原因値とのマッピング関係、又は、前記アクセスクラスと確立原因値とのマッピング関係に基づいて、前記アクセスアテンプトに対応する確立原因値を確定させても良い。
【０１２５】
本実施例では、前記設定送信ユニット601は、さらに、前記ユーザ装置に、アクセス制御を行うための１つ又は複数のタイマーを設定するための設定情報を送信し、そのうち、各タイマーは、１つ又は一組又はすべてのアクセスクラスに対応する。
【０１２６】
なお、以上、本発明に関連する各部品又はモジュールのみについて説明したが、本発明は、これに限られない。アクセス制御装置600は、さらに、他の部品又はモジュールを含んでも良く、これらの部品又はモジュールの具体的な内容については、関連技術を参照することができる。
【０１２７】
また、便宜のため、図6では、各部品又はモジュール間の接続関係を例示的に示すが、当業者が理解すべきは、例えば、バスによる接続などの各種の関連技術を採用しても良いということである。これらの各部品又はモジュールが、例えば、処理器、記憶器、送信機、受信機などのハードウェアにより実現されても良いが、本発明の実施は、これに限定されない。
【０１２８】
上述の実施例から分かるように、異なるシナリオ（例えば、アイドル状態、インアクティブ状態及び接続状態を含む異なるRRC状態）においてUEがアクセスアテンプトを行うときに、例えば、アクセスアテンプトに対応するアクセスクラスを唯一確定し、また、アクセスクラスを唯一確定することができない場合、複数のアクセスクラスに対して処理を行うことにより、アクセスクラスに基づいてアクセス規制チェックを行い、統一アクセス制御メカニズムを実現することができる。
【実施例５】
【０１２９】
本発明の実施例は、さらに、通信システムを提供し、これについては、図1を参照することができ、実施例1乃至4と同じ内容は、省略される。本実施例では、通信システム100は、以下のものを含んでも良い。
【０１３０】
ネットワーク装置101：その中に実施例4に記載のアクセス制御装置600が設けられ；
ユーザ装置102：その中に実施例3に記載のアクセス制御装置500が設置される。
【０１３１】
本発明の実施例は、さらに、ネットワーク装置を提供し、それは、例えば、基地局であっても良いが、本発明は、これに限られず、さらに、他のネットワーク装置であっても良い。
【０１３２】
図7は、本発明の実施例におけるネットワーク装置の構成図である。図7に示すように、ネットワーク装置700は、処理器710（例えば、中央処理器CPU）及び記憶器720を含んでも良く、記憶器720は、処理器710に接続される。そのうち、該記憶器720は、各種のデータを記憶することができ、情報処理用のプログラム730をさらに記憶することができ、また、処理器710の制御下で該プログラム730を実行することができる。
【０１３３】
例えば、処理器710は、プログラム730を実行することにより、実施例2に記載のアクセス制御方法を実現するように構成されても良い。例えば、処理器710は、次のような制御を行うように構成されても良く、即ち、ユーザ装置にアクセスアテンプトとアクセスクラスとのマッピング関係を設定するための設定情報を送信し；前記ユーザ装置に、前記アクセスアテンプトとアクセスクラスとのマッピング関係に基づいて、アクセスアテンプトに対応するアクセスクラスを確定させ；前記装置により送信される接続確立リクエストメッセージ又は接続回復リクエストメッセージを受信し；及び前記ユーザ装置の接続確立リクエスト又は接続回復リクエストを許可するかを確定する。
【０１３４】
１つの実施方式では、処理器710は、さらに、次のような制御を行うように構成されても良く、前記ユーザ装置に、アクセスアテンプトと確立原因値とのマッピング関係、又は、アクセスクラスと確立原因値とのマッピング関係を設定するための設定情報を送信し、前記ユーザ装置に、前記アクセスアテンプトと確立原因値とのマッピング関係、又は、前記アクセスクラスと確立原因値とのマッピング関係に基づいて、前記アクセスアテンプトに対応する確立原因値を確定させる。
【０１３５】
１つの実施方式では、処理器710は、さらに、次のような制御を行うように制御されても良く、前記ユーザ装置に、アクセス制御を行うための１つ又は複数のタイマーを設定するための設定情報を送信し、そのうち、各タイマーは、１つ又は一組又はすべてのアクセスクラスに対応する。
【０１３６】
また、図7に示すように、ネットワーク装置700は、さらに、送受信機740、アンテナ750などを含んでも良く、そのうち、これらの部品の機能が従来技術と類似したので、ここでは、その詳しい説明を割愛する。なお、ネットワーク装置700には、図7に示すようなすべての部品が含まれる必要がない。また、ネットワーク装置700がさらに図7にない部品を含んでも良いが、これについては、従来技術を参照することができる。
【０１３７】
本発明の実施例は、さらに、ユーザ装置を提供するが、本発明は、これに限られず、さらに他の装置であっても良い。
【０１３８】
図8は、本発明の実施例におけるユーザ装置を示す図である。図8に示すように、該ユーザ装置800は、処理器810及び記憶器820を含んでも良く、記憶器820は、データ及びプログラムを記憶し、また、処理器810に接続される。なお、該図は、例示に過ぎず、さらにこの構造に対して、他の類型の構造を以って補充又は代替を行うことで、電気通信機能又は他の機能を実現することもできる。
【０１３９】
例えば、処理器810は、プログラムを実行することで実施例1に記載のようなアクセス制御方法を実現することができる。例えば、処理器810は、次のような制御を行うように構成されても良く、即ち、アクセスアテンプトとアクセスクラスとのマッピング関係に基づいて、アクセスアテンプトに対応するアクセスクラスを確定し；前記アクセスクラスに基づいてアクセス規制チェックを行い、前記アクセスクラスに対応するアクセスアテンプトが規制されるかを確定し；及び前記アクセスアテンプトが許可されると確定した場合、ネットワーク装置に接続確立リクエストメッセージ又は接続回復リクエストメッセージを送信する。
【０１４０】
１つの実施方式では、処理器810は、さらに、次のような制御を行うように構成されても良く、即ち、アクセスアテンプトと確立原因値とのマッピング関係、又は、アクセスクラスと確立原因値とのマッピング関係に基づいて、前記アクセスアテンプトに対応する確立原因値を確定する。
【０１４１】
１つの実施方式では、処理器810は、さらに、次のような制御を行うように構成されても良く、即ち、ネットワーク装置の指示又はネットワーク装置設定の条件に基づいて、前記アクセスクラスを前記接続確立リクエストメッセージ又は接続回復リクエストメッセージに含め、又は、前記確立原因値を前記接続確立リクエストメッセージ又は接続回復リクエストメッセージに含める。
【０１４２】
１つの実施方式では、非アクセス層（NAS、Non  Access  Stratum）で前記アクセスクラス及び／又は前記確立原因値を確定し、そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記非アクセス層で定義され、又は、ネットワーク装置によりNAS層のシグナリングを用いてユーザ装置に通知される。前記非アクセス層は、確定された前記アクセスクラス及び／又は前記確立原因値を無線リソース制御（RRC）層に通知し、そして、前記無線リソース制御層は、前記アクセス規制チェックを行う。
【０１４３】
１つの実施方式では、無線リソース制御層で前記アクセスクラス及び／又は前記確立原因値を確定し、そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記無線リソース制御層で定義され、又はネットワーク装置によりRRC層のシグナリングを用いてユーザ装置に通知される。非アクセス層は、前記無線リソース制御層に前記アクセスクラスを確定するためのパラメータを送信し、そして、前記無線リソース制御層は、前記アクセス規制チェックを行う。
【０１４４】
１つの実施方式では、複数の異なる層で前記アクセスクラス及び／又は前記確立原因値を確定し、そのうち、前記アクセスアテンプトとアクセスクラスとのマッピング関係、前記アクセスアテンプトと確立原因値とのマッピング関係、及び前記アクセスクラスと確立原因値とのマッピング関係のうちの１つ又は複数が、前記アクセスアテンプトを開始する層又は無線リソース制御状態専用の層で定義される。
【０１４５】
例えば、前記アクセスアテンプトを開始する層又は無線リソース制御状態専用の層で前記アクセスクラスを確定し、及び／又は、前記アクセスクラスを確定する層又は前記無線リソース制御状態専用の層で前記確立原因値を確定する。前記アクセスアテンプトを開始する層は、次のようなもののうちの１つ又は複数の層又は実体を含み、即ち、アプリケーション層、IP層、NAS層、RRC層及びユーザプレーンである。前記無線リソース制御状態専用の層は、次のようなもののうちの１つ又は複数の層又は実体を含み、即ち、ユーザ装置がアイドル状態にあるときのNAS層、ユーザ装置がインアクティブ状態にあるときのRRC層、及びユーザ装置が接続状態にあるときのユーザプレーンである。
【０１４６】
１つの実施方式では、前記複数の異なる層で複数の異なるアクセスクラスを確定した場合、非アクセス層又は無線リソース制御層により前記複数の異なるアクセスクラスのうちから１つのアクセスクラスを選択する。
【０１４７】
１つの実施方式では、処理器810は、さらに、次のような制御を行うように構成されても良く、アクセス制御のための１つ又は複数のタイマーを処理し、そのうち、各タイマーは、１つ又は一組のアクセスクラスに対応する。
【０１４８】
例えば、前記タイマーがユーザ装置専用の規制タイマーを含み、処理器810は、さらに、次のような制御を行うように構成されても良く、即ち、前記アクセスクラスが前記ユーザ装置専用の規制タイマーに適用され、且つ前記アクセスクラスが前記アクセス規制チェックを行った結果が「前記アクセスクラスに対応するアクセスが規制される」の場合、前記ユーザ装置専用の規制タイマーを起動し、また、前記ユーザ装置専用の規制タイマーがランニングしている場合、前記ユーザ装置のすべての又は規定の又は設定のアクセスクラスに対して前記アクセス規制チェックを行わず、前記アクセスクラスに対応するアクセスアテンプト又はアクセスが規制されると確定する。
【０１４９】
例えば、前記タイマーがユーザ装置専用の許可タイマーを含み、処理器810は、さらに、次のような制御を行うように構成されても良く、例えば、前記アクセスクラスが前記ユーザ装置専用の許可タイマーに適用され、且つ前記アクセスクラスに基づいて前記アクセス規制チェックを行った結果が「前記アクセスクラスに対応するアクセスが許可される」の場合、前記ユーザ装置専用の許可タイマーを起動し、また、前記ユーザ装置専用の許可タイマーがランニングしている場合、前記ユーザ装置のすべての又は規定の又は設定のアクセスクラスに対して前記アクセス規制チェックを行い、前記アクセスクラスに対応するアクセスアテンプト又はアクセスが許可されると確定する。
【０１５０】
例えば、前記タイマーがアクセスクラス専用の規制タイマー又はアクセスクラス組専用の規制タイマーを含み、処理器810は、さらに、次のような制御を行うように構成されても良く、即ち、前記アクセスクラスが前記アクセスクラス専用の規制タイマー又はアクセスクラス組専用の規制タイマーに適用され、且つ前記アクセスクラスが前記アクセス規制チェックを行った結果が「前記アクセスクラスに対応するアクセスが規制される」の場合、前記アクセスクラス専用の規制タイマー又は前記アクセスクラス組専用の規制タイマーを起動し、また、前記アクセスクラス専用の規制タイマー又は前記アクセスクラス組専用の規制タイマーがランニングしている場合、前記アクセスクラス又は前記アクセスクラス組に対して前記アクセス規制チェックを行わず、前記アクセスクラス又は前記アクセスクラス組に対応するアクセスアテンプト又はアクセスが規制されると確定する。
【０１５１】
例えば、前記タイマーがアクセスクラス専用の許可タイマー又はアクセスクラス組専用の許可タイマーを含み、処理器810は、さらに、次のような制御を行うように構成されても良く、即ち、前記アクセスクラスが前記アクセスクラス専用の許可タイマー又はアクセスクラス組専用の許可タイマーに適用され、且つ前記アクセスクラスに基づいて前記アクセス規制チェックを行った結果が「前記アクセスクラスに対応するアクセスが許可される」の場合、前記アクセスクラス専用の許可タイマー又は前記アクセスクラス組専用の許可タイマーを起動し、また、前記アクセスクラス専用の許可タイマー又は前記アクセスクラス組専用の許可タイマーがランニングしている場合、前記アクセスクラス又は前記アクセスクラス組に対して前記アクセス規制チェックを行わず、前記アクセスクラス又は前記アクセスクラス組に対応するアクセスアテンプト又はアクセスが許可されると確定する。
【０１５２】
図8に示すように、該ユーザ装置800は、さらに、通信モジュール830、入力ユニット840、表示器850、電源860などを含んでも良い。そのうち、これらの部品の機能が従来技術に類似したので、ここでは、その詳しい説明を省略する。なお、ユーザ装置800は、図8に示すようなすべての部品を含む必要がなく、即ち、これらの部品は、必須でない。また、ユーザ装置800は、さらに、図8にない部品を含んでも良く、これについては、従来技術を参照することができる。
【０１５３】
本発明の実施例は、さらに、コンピュータ可読プログラムを提供し、そのうち、ネットワーク装置中で前記プログラムを実行するときに、前記プログラムは、前記ネットワーク装置に、実施例2に記載のアクセス制御方法を実行させる。
【０１５４】
本発明の実施例は、さらに、コンピュータ可読プログラムを記憶した記憶媒体を提供し、そのうち、前記コンピュータ可読プログラムは、ネットワーク装置に、実施例2に記載のアクセス制御方法を実行させる。
【０１５５】
本発明の実施例は、さらに、コンピュータ可読プログラムを提供し、そのうち、ユーザ装置中で前記プログラムを実行するときに、前記プログラムは、前記ユーザ装置に実施例1に記載のアクセス制御方法を実行させる。
【０１５６】
本発明の実施例は、さらに、コンピュータ可読プログラムを記憶した記憶媒体を提供し、そのうち、前記コンピュータ可読プログラムは、ユーザ装置に、実施例1に記載のアクセス制御方法を実行させる。
【０１５７】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構成部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１５８】
さらに、図面に記載の機能ブロックのうちの1つ又は複数の組み合わせ及び／又は機能ブロックの1つ又は複数の組み合わせは、本明細書に記載の機能を実行するための汎用処理器、デジタル信号処理器（DSP）、特定用途向け集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの1つ又は複数の組み合わせ及び／又は機能ブロックの1つ又は複数の組み合わせは、さらに、計算装置の組み合わせ、例えば、DSP及びマイクロプロセッサの組み合わせ、複数のマイクロプロセッサ、DSPと通信により接続される1つ又は複数のマイクロプロセッサ又は他の任意の構成の組み合わせとして構成されても良い。
【０１５９】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2020536410.tif 000003
【図２】
2020536410.tif 000004
【図３】
2020536410.tif 000005
【図４】
2020536410.tif 000006
【図５】
2020536410.tif 000007
【図６】
2020536410.tif 000008
【図７】
2020536410.tif 000009
【図８】
2020536410.tif 000010
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
アクセス制御装置であって、
複数の指令を記憶した記憶器；及び
前記記憶器に接続される処理器を含み、
前記処理器は、前記指令を実行することにより、
アクセスアテンプトとアクセスクラスとのマッピング関係に基づいて、アクセスアテンプトに対応するアクセスクラスを確定し；
前記アクセスクラスに基づいてアクセス規制チェックを行い、前記アクセスクラスに対応するアクセスアテンプトが規制されるかを確定し；及び
前記アクセスアテンプトが許可される場合、ネットワーク装置に接続確立リクエストメッセージ又は接続回復リクエストメッセージを送信することを実現する、アクセス制御装置。
【請求項２】
請求項1に記載のアクセス制御装置であって、
前記処理器は、さらに、アクセス制御のための１つ又は複数のタイマーを処理するように構成され、１つのタイマーは、１つ又は一組又はすべてのアクセスクラスに対応する、アクセス制御装置。
【請求項３】
請求項2に記載のアクセス制御装置であって、
前記タイマーが、アクセスクラス専用(specific)の規制タイマー又はアクセスクラス組専用の規制タイマーを含み、
前記処理器は、さらに、
前記アクセスクラスに前記アクセスクラス専用の規制タイマー又は前記アクセスクラス組専用の規制タイマーが定義又は設定されており、且つ前記アクセスクラスに基づいて前記アクセス規制チェックを行った結果が「前記アクセスクラスに対応するアクセスが規制される」の場合、前記アクセスクラス専用の規制タイマー又は前記アクセスクラス組専用の規制タイマーを起動し；及び、
前記アクセスクラス専用の規制タイマー又は前記アクセスクラス組専用の規制タイマーがランニング（running）している場合、前記アクセスクラス又は前記アクセスクラス組に対応するアクセスアテンプト又はアクセスが規制されると確定するように構成される、アクセス制御装置。
【請求項４】
請求項2に記載のアクセス制御装置であって、
前記タイマーは、無線リソース制御層又は非アクセス層により設定され、及び／又は、前記タイマーは、無線リソース制御層又は非アクセス層により維持される、アクセス制御装置。
【請求項５】
請求項2に記載のアクセス制御装置であって、
前記タイマーが、ユーザ装置専用の規制タイマーを含み、
前記処理器は、さらに、
前記アクセスクラスに前記ユーザ装置専用の規制タイマーが定義又は設定されており、且つ前記アクセスクラスに基づいて前記アクセス規制チェックを行った結果が「前記アクセスクラスに対応するアクセスが規制される」の場合、前記ユーザ装置専用の規制タイマーを起動し；及び
前記ユーザ装置専用の規制タイマーがランニングしている場合、前記アクセスクラスに対応するアクセスアテンプト又はアクセスが規制されると確定するように構成される、アクセス制御装置。
【請求項６】
請求項2に記載のアクセス制御装置であって、
前記タイマーが、ユーザ装置専用の許可タイマーを含み、
前記処理器は、さらに、
前記アクセスクラスに前記ユーザ装置専用の許可タイマーが定義又は設定されており、且つ前記アクセスクラスに基づいて前記アクセス規制チェックを行った結果が「前記アクセスクラスに対応するアクセスが許可される」の場合、前記ユーザ装置専用の許可タイマーを起動し；及び
前記ユーザ装置専用の許可タイマーがランニングしている場合、前記アクセスクラスに対応するアクセスアテンプト又はアクセスが許可されると確定するように構成される、アクセス制御装置。
【請求項７】
請求項2に記載のアクセス制御装置であって、
前記タイマーが、アクセスクラス専用の許可タイマー又はアクセスクラス組専用の許可タイマーを含み、
前記処理器は、さらに、
前記アクセスクラスに前記アクセスクラス専用の許可タイマー又は前記アクセスクラス組専用の許可タイマーが定義又は設定されており、且つ前記アクセスクラスに基づいて前記アクセス規制チェックを行った結果が「前記アクセスクラスに対応するアクセスが許可される」の場合、前記アクセスクラス専用の許可タイマー又は前記アクセスクラス組専用の許可タイマーを起動し；及び
前記アクセスクラス専用の許可タイマー又は前記アクセスクラス組専用の許可タイマーがランニングしている場合、前記アクセスクラス又は前記アクセスクラス組に対応するアクセスアテンプト又はアクセスが許可されると確定するように構成される、アクセス制御装置。
【請求項８】
請求項1に記載のアクセス制御装置であって、
前記処理器は、さらに、アクセスアテンプトと確立原因値とのマッピング関係、又は、アクセスクラスと確立原因値とのマッピング関係に基づいて、前記アクセスアテンプトに対応する確立原因値を確定するように構成される、アクセス制御装置。
【請求項９】
請求項1に記載のアクセス制御装置であって、
前記処理器は、さらに、ネットワーク装置の指示又はネットワーク装置設定の条件に基づいて、前記アクセスクラスを前記接続確立リクエストメッセージ又は接続回復リクエストメッセージに含め、又は、前記確立原因値を前記接続確立リクエストメッセージ又は接続回復リクエストメッセージに含めるように構成される、アクセス制御装置。
【請求項１０】
請求項1に記載のアクセス制御装置であって、
非アクセス層において前記アクセスクラス及び／又は確立原因値を確定し、
アクセスアテンプトとアクセスクラスとのマッピング関係、アクセスアテンプトと確立原因値とのマッピング関係、及び、アクセスクラスと確立原因値とのマッピング関係のうちの１つ又は複数が、前記非アクセス層において定義され、又は、ネットワーク装置により非アクセス層のシグナリングを用いてユーザ装置に通知される、アクセス制御装置。
【請求項１１】
請求項10に記載のアクセス制御装置であって、
前記非アクセス層は、確定された前記アクセスクラス及び／又は前記確立原因値を無線リソース制御層に指示又は伝送し、前記無線リソース制御層は、前記アクセス規制チェックを行う、アクセス制御装置。
【請求項１２】
請求項1に記載のアクセス制御装置であって、
無線リソース制御層において前記アクセスクラス及び／又は確立原因値を確定し、
アクセスアテンプトとアクセスクラスとのマッピング関係、アクセスアテンプトと確立原因値とのマッピング関係、及び、アクセスクラスと確立原因値とのマッピング関係のうちの１つ又は複数が、前記無線リソース制御層に定義され、又は、ネットワーク装置により無線リソース制御層のシグナリングを用いてユーザ装置に通知される、アクセス制御装置。
【請求項１３】
請求項12に記載のアクセス制御装置であって、
非アクセス層は、前記無線リソース制御層に、前記アクセスクラスを確定するためのパラメータを提供し、前記無線リソース制御層は、前記アクセス規制チェックを行う、アクセス制御装置。
【請求項１４】
請求項1に記載のアクセス制御装置であって、
少なくとも２つの層において、アクセスクラス及び／又は確立原因値を確定し、
前記アクセスクラス及び／又は前記確立原因値を確定する層は、前記アクセスアテンプトを開始する層、及び／又は、無線リソース制御状態に基づいて決定される層を含み、
アクセスアテンプトとアクセスクラスとのマッピング関係、アクセスアテンプトと確立原因値とのマッピング関係、及びアクセスクラスと確立原因値とのマッピング関係のうちの１つ又は複数が、前記アクセスクラス及び／又は前記確立原因値を確定する層において定義される、アクセス制御装置。
【請求項１５】
請求項14に記載のアクセス制御装置であって、
前記アクセスアテンプトを開始する層は、アプリケーション層、IP層、NAS層、RRC層、及びユーザプレーンのうちの１つ又は複数層、及び／又は、１つ又は複数実体を含み、
前記無線リソース制御状態に基づいて決定される層は、ユーザ装置がアイドル状態にあるNAS層、ユーザ装置がインアクティブ状態にあるRRC層、及びユーザ装置が接続状態にあるユーザプレーンのうちの１つ又は複数の層、及び／又は、１つ又は複数の実体を含む、アクセス制御装置。
【請求項１６】
請求項14に記載のアクセス制御装置であって、
少なくとも２つの層において少なくとも２つの異なるアクセスクラスを確定した場合、非アクセス層又は無線リソース制御層により前記少なくとも２つの異なるアクセスクラスのうちから１つのアクセスクラスを選択する、アクセス制御装置。
【請求項１７】
アクセス制御装置であって、
複数の指令を記憶した記憶器；及び
前記記憶器に接続される処理器を含み、
前記処理器は、前記指令を実行することにより、
ユーザ装置に、アクセスアテンプトとアクセスクラスとのマッピング関係を設定するための設定情報を送信し、アクセスアテンプトに対応するアクセスクラスが前記ユーザ装置によりアクセスアテンプトとアクセスクラスとの前記マッピング関係に基づいて確定され；
前記ユーザ装置により送信される接続確立リクエストメッセージ又は接続回復リクエストメッセージを受信し；及び
前記ユーザ装置の接続確立リクエスト又は接続回復リクエストを許可するかを確定することを実現する、アクセス制御装置。
【請求項１８】
請求項17に記載のアクセス制御装置であって、
前記処理器は、さらに、
前記ユーザ装置に、アクセスアテンプトと確立原因値とのマッピング関係、又は、アクセスクラスと確立原因値とのマッピング関係を設定するための設定情報を送信するように構成され、
前記アクセスアテンプトに対応する確立原因値が、前記ユーザ装置により、アクセスアテンプトと確立原因値との前記マッピング関係、又は、アクセスクラスと確立原因値との前記マッピング関係に基づいて確定される、アクセス制御装置。
【請求項１９】
請求項17に記載のアクセス制御装置であって、
前記処理器は、さらに、前記ユーザ装置に、アクセス制御を行うための１つ又は複数のタイマーを設定するための設定情報を送信するように構成され、
１つのタイマーは、１つ又は一組又はすべてのアクセスクラスに対応する、アクセス制御装置。
【請求項２０】
ユーザ装置及びネットワーク装置を含む通信システムであって、
前記ユーザ装置は、アクセスアテンプトとアクセスクラスとのマッピング関係に基づいて、アクセスアテンプトに対応するアクセスクラスを確定し；前記アクセスクラスに基づいてアクセス規制チェックを行い、前記アクセスクラスに対応するアクセスアテンプトが規制されるかを確定し；及び、前記アクセスアテンプトが許可される場合、前記ネットワーク装置に接続確立リクエストメッセージ又は接続回復リクエストメッセージを送信し、
前記ネットワーク装置は、前記ユーザ装置に、アクセスアテンプトとアクセスクラスとのマッピング関係を設定するための設定情報を送信し；前記装置により送信される接続確立リクエストメッセージ又は接続回復リクエストメッセージを受信し；及び、前記ユーザ装置の接続確立リクエスト又は接続回復リクエストを許可するかを確定する、通信システム。
【国際調査報告】
2020536410.tif 000011
2020536410.tif 000012
2020536410.tif 000013
2020536410.tif 000014